(57)【要約】【課題】  磁石と磁性体の接着面の縁に残った未硬化の接着剤が指サックやピンセット等を介して光ピックアップに転写し汚染することにより、光学性能の不具合や外観不良を生じて歩留まりを低下させてしまう場合がある。【解決手段】  磁石を固定する磁性体の面に溝を形成し、固定面の中心側の溝を浅く、固定面の外周側の溝を深くする。この溝により、接着剤を毛細管現象によって固定面の中心側に引き込むと同時に、固定面の外縁に沿って接着剤が拡がらないようにする。また、溝内の隅部を面取りすることで、隅に残留する接着剤を低減する。【選択図】図６
2013077357.tif 000002
【特許請求の範囲】
【請求項１】
光ピックアップにおいて、
磁界を形成する磁石と、この磁石を保持する磁性体とを有し、
前記磁性体は、前記磁石を固定する面に溝を形成し、固定面の中心側の溝を浅く、固定面の外周側の溝を深くした形状であることを特徴とする光ピックアップ。
【請求項２】
請求項１に記載の光ピックアップにおいて、
前記磁性体の溝が深さの異なる２段の溝であることを特徴とする光ピックアップ。
【請求項３】
請求項１に記載の光ピックアップにおいて、
前記磁性体の溝がテーパー状の溝であることを特徴とする光ピックアップ。
【請求項４】
請求項１に記載の光ピックアップにおいて、
前記磁性体の溝が隅部を面取りした溝であることを特徴とする光ピックアップ。
【請求項５】
請求項１に記載の光ピックアップにおいて、
前記磁性体の固定面外周側の溝が三角形の断面形状であることを特徴とする光ピックアップ。
【発明の詳細な説明】
【技術分野】
【０００１】
本発明は、光ピックアップに関するものである。
【背景技術】
【０００２】
本技術分野の背景技術として、特開２０１１−１８４２８号公報（特許文献１）がある。
【０００３】
この公報には、磁性部材もしくは磁気連結部材の何れか一方または両方に、接着強度を確保させる接着力確保部が設けられることにより、磁性部材を確実に磁気連結部材に接着させることが記載されている。
【先行技術文献】
【特許文献】
【０００４】
【特許文献１】特開２０１１−１８４２８号公報
【発明の概要】
【発明が解決しようとする課題】
【０００５】
上記特許文献１には、磁性部材（磁石）と磁気連結部材（磁性体）の接着強度を確保するための構造が記載されている。しかし、上記特許文献１の構造は、磁石と磁性体の接着面の縁に未硬化の接着剤が残り易い。このため、接着工程以降のハンドリングにおいて、指サックやピンセット等に未硬化の接着剤が転写してしまう。さらに、未硬化の接着剤が付着した指サックやピンセット等を使って他の部品をハンドリングすることにより、未硬化の接着剤が再転写し部品等を汚染してしまう。
【０００６】
このように、指サックやピンセット等を介して未硬化の接着剤がさまざまな部位を汚染してしまうため、最終的に光ピックアップにも汚染が至って光学性能の不具合や外観不良となって歩留まりを低下させてしまう場合がある。
【０００７】
本発明の目的は、未硬化の接着剤の発生を低減できる光ピックアップを提供することにある。
【課題を解決するための手段】
【０００８】
上記目的は、光ピックアップにおいて、磁界を形成する磁石と、この磁石を保持する磁性体とを有し、前記磁性体は、前記磁石を固定する面に溝を形成し、固定面の中心側の溝を浅く、固定面の外周側の溝を深くした形状であることにより達成される。
【０００９】
また上記目的を達成するために好ましくは、前記磁性体の溝が深さの異なる２段の溝であると良い。
【００１０】
また上記目的を達成するために好ましくは、前記磁性体の溝がテーパー状の溝であると良い。
【００１１】
また上記目的を達成するために好ましくは、前記磁性体の溝が隅部を面取りした溝であると良い。
【００１２】
また上記目的を達成するために好ましくは、前記磁性体の固定面外周側の溝が三角形の断面形状であると良い。
【発明の効果】
【００１３】
本発明によれば、歩留まりの高い光ピックアップを提供することができる。
【００１４】
上記した以外の課題、構成及び効果は、以下の実施形態の説明により明らかにされる。
【図面の簡単な説明】
【００１５】
【図１】本発明に係る光ピックアップの斜視図である。
【図２】本発明に係る対物レンズアクチュエータの斜視図である。
【図３】本発明に係る磁石と磁性体の接着工程の説明図である。
【図４】本発明に係る磁石と磁性体の接着工程を説明するフローチャート図である。
【図５】従来の磁性体と磁石の接着状況の説明図である。
【図６】本発明の実施例に係る磁性体と磁石の接着状況を説明する斜視図である。
【図７】他の実施例に係る磁性体の形状を示す斜視図である。
【図８】他の実施例に係る磁性体の形状を示す斜視図である。
【発明を実施するための形態】
【００１６】
以下、実施例を図面を用いて説明する。
【実施例１】
【００１７】
本実施例では、接着剤の転写を防止することができる光ピックアップの例を説明する。
【００１８】
図１は本実施例の光ピックアップの構成図の例である。
【００１９】
１は光ピックアップ、２は筐体、３はレーザ光源、４はビームスプリッタ、５はコリメートレンズ、６は立上げミラー、７は対物レンズアクチュエータ、７ａは対物レンズ、８は光検出器である。
【００２０】
光ピックアップ１は、レーザ光源３と、ビームスプリッタ４と、コリメートレンズ５と、立上げミラー６と、対物レンズ７ａと、光検出器８とを、筐体２に搭載した構成である。図１の光ピックアップ１の構成は最小限の構成を示している。ＣＤ、ＤＶＤ、ＢＤ（Ｂｌｕ−ｒａｙ  Ｄｉｓｃ）などの複数の光ディスク規格に対応するために、レーザ光源３、ビームスプリッタ４、コリメートレンズ５、立上げミラー６、対物レンズ７ａ、光検出器８を複数搭載する構成としてもよい。筐体２は、光学部品を搭載するベース部材である。複雑な形状が必要となることから、金属や樹脂の成型によって主に作られる。レーザ光源３は、特定波長のレーザ光を出射する半導体レーザ素子である。ビームスプリッタ４は、レーザ光を透過光と反射光に分割する光学部品である。例えば、直角プリズムを２つ貼り合わせたプリズムや、ガラス板に光学膜を形成したミラーである。コリメートレンズ５は、レーザ光の発散光を平行光に変換する光学レンズである。立上げミラー６は、レーザ光を全反射するミラーである。光ピックアップ１の筐体２内部から図示しない光ディスクの方向へ折り曲げるため、傾いて取り付けられている。対物レンズアクチュエータ７は、対物レンズ７ａを駆動する電磁アクチュエータである。対物レンズ７ａは、レーザ光の平行光を光ディスクの記録面上に集束させるレンズである。光検出器８は、検出面に照射するレーザ光の光量に応じて電気信号を発生する光電変換素子である。
【００２１】
本実施例の光ピックアップの動作を説明する。
【００２２】
レーザ光源３を発したレーザ光は、ビームスプリッタ４で反射してコリメートレンズ５に到達し平行光に変換される。さらにレーザ光は、立上げミラー６で光ディスクの方向に全反射し、対物レンズ７ａによって光ディスクの記録面上に集束されてビームスポットを形成する。光ピックアップ１では、このビームスポットによって光ディスクへの情報の記録・再生を行なう。記録では、記録情報に基づいてレーザ光源３のオンオフを行なってビームスポットを点滅させ、光ディスク上に記録ピットを形成することで情報の書き込みを行なう。再生では、ビームスポットを光ディスクの記録ピットに当て、記録ピットで反射したレーザ光を対物レンズ７ａで受ける。往路とは逆に立上げミラー６、コリメータレンズ５、ビームスプリッタ４の順で通過し、光検出器８の検出面上にレーザ光を誘導する。光検出器８は、検出面に当たるレーザ光のオンオフにより情報の読込みを行なう。
【００２３】
本実施例の対物レンズアクチュエータ７について以下に説明する。
【００２４】
図２は本実施例の対物レンズアクチュエータの構成図の例である。
【００２５】
７は対物レンズアクチュエータ、７ａは対物レンズ、７ｂはレンズホルダ、７ｃはフォーカシングコイル、７ｄはトラッキングコイル、７ｅはチルトコイル、７ｆは接続基板、７ｇはサスペンションワイヤ、７ｈはベースホルダ，７ｉは磁性体、７ｊは磁石である。図中のｚ方向が、対物レンズ７ａを図示していない光ディスクに接近または離遠させるフォーカシング方向であり、ｙ方向が、対物レンズ７ａを光ディスクの半径方向に動作させるトラッキング方向であり、ｘ方向の軸まわりに回転する方向がチルト方向である。
【００２６】
対物レンズ７ａは、レンズホルダ７ｂの上面に搭載される。フォーカシングコイル７ｃおよびチルトコイル７ｅは、ｚ方向を巻回軸として形成され、レンズホルダ７ｂに取り付けられる。トラッキングコイル７ｄは、ｘ方向を巻回軸として形成され、レンズホルダ７ｂのｘ軸に垂直な側面に取り付けられる。レンズホルダ７ｂのｙ軸に垂直な両側面には接続基板７ｆが取り付けられている。サスペンションワイヤ７ｇは、一端が接続基板７ｆに、他端がベースホルダ７ｈにはんだなどを用いて接続されており、レンズホルダ７ｂの両側に３本ずつ、合計６本のサスペンションワイヤ７ｇにより、レンズホルダ７ｂがベースホルダ７ｈに対して動作可能に支持されている。フォーカシングコイル７ｃ、トラッキングコイル７ｄ、チルトコイル７ｅの各巻線の端部は、接続基板７ｆにはんだなどを用いて接続され、対応するサスペンションワイヤ７ｇと、接続基板７ｆ上で電気的に接続している。サスペンションワイヤ７ｇを通じ、各コイルに電流を流すことにより、磁性体７ｉと磁性体７ｉに取り付けられた磁石７ｊにより作られる磁界との間で電磁作用が働き、各方向への駆動力が発生してレンズホルダ７ｂを駆動することができる。
【００２７】
本実施例の磁石と磁性体の接着工程について以下に説明する。
【００２８】
図３は本実施例の磁石と磁性体の接着工程の説明図である。
【００２９】
図４は本実施例の磁石と磁性体の接着工程のフローチャートの例である。
【００３０】
磁性体固定工程９１では、磁性体７ｉを治具１０１に固定する。治具１０１への固定は、磁性体７ｉの底面に形成された位置決め用の穴を治具１０１側の位置決めピンと嵌合させることによって行なう。磁性体７ｉが治具１０１から浮き上がらないように、抑え止めや磁石による吸着を行なうと、磁性体７ｉを確実に固定することができる。磁石装填工程９２では、磁性体７ｉに磁石７ｊを装填する。磁石７ｊは、図示しない治具１０２によって位置決めされ、磁性体７ｉの所定の位置に装填される。磁石７ｊの装填後は治具１０２を外してもよく、磁石７ｊは自らの持つ磁力によって磁性体７ｉに自己吸着するため位置を保持することができる。接着剤塗布工程９３では、磁石７ｊと磁性体７ｉの接触面に向けてディスペンサ１０３により接着剤７ｋを塗布する。接着剤７ｋの塗布は、ディスペンサ１０３を用いることで、塗布量、塗布位置を精度良く管理できる。接着剤７ｋは、磁石７ｊと磁性体７ｉに挟まれた隙間に浸透させるために低粘度であることが求められる。また、接着剤７ｋは、磁石７ｊと磁性体７ｉに挟まれた隙間で硬化させる必要があるため、嫌気性接着剤を用いると都合が良い。放置工程９４では、接着剤７ｋが硬化する迄の間放置する工程である。接着剤は硬化時間が数時間と長いため、放置が必要である。
【００３１】
本実施例の解決しようとする課題と、解決手段について以下に説明する。
【００３２】
図５は従来の磁性体と磁石の接着状況の説明図である。
【００３３】
従来の磁性体７ｉは、磁石７ｊを固定する面が平坦となっている。特許文献１では、この平坦面に網目状の溝を設けているが、以下で説明する作用と同じことが生じる。磁石７ｊは、この磁性体７ｉの平坦面に面接触する。前記接着剤塗布工程９３において、接着剤７ｋは磁石７ｊと磁性体７ｉの接触面の外縁に塗布される。接着剤７ｋは、磁石７ｊと磁性体７ｉの接触面の隙間に浸み込んでいくとともに、接触面の外縁を伝っていくものがある。接着剤７ｋに用いている嫌気性接着剤は、空気に触れない部分では硬化が進むが、空気に触れる部分では硬化が進まない。このため、磁石７ｊと磁性体７ｉの接触面の外縁を伝わった接着剤７ｋは放置工程９４を経ても未硬化の場合がある。放置工程９４以降の組立工程において、磁石７ｊと磁性体７ｉの組立品をハンドリングする際に、指サックやピンセット等に前記の未硬化の接着剤７ｋが転写してしまうと、それ以降でハンドリングした治具や部品等に未硬化の接着剤７ｋが再転写し汚染が発生してしまう。このように、指サックやピンセット等を介して未硬化の接着剤７ｋがさまざまな部位を汚染してしまうため、最終的に光ピックアップ１にも汚染が至ってレンズ等の汚れによる光学性能の不具合や外観不良となり、歩留まりを低下させてしまう。
【００３４】
図６は本実施例の磁性体と磁石の接着状況の説明図である。
【００３５】
本実施例の磁性体７ｉは、磁石７ｊを固定する平坦面にＶ溝を形成している。前記Ｖ溝は、磁石７ｊを固定する接着面の中心側のＶ溝を浅く、外側のＶ溝を深くした２段のＶ溝である。磁性体７ｉのＶ溝はプレス型に突起を形成することで簡単に実現でき、従来の製法と大きく変わる点はない。磁石７ｊは、従来の構造と同様に磁性体７ｉの平坦面に面接触する。このとき、磁石７ｊと磁性体７ｉの前記Ｖ溝によって孔が形成される。前記接着剤塗布工程９３において、この孔にディスペンサ１０３のニードルの先端を当てて位置決めを行ない、接着剤７ｋを塗布する。溝形状をＶ溝としたことにより、孔の形状は三角形となるので円形のディスペンサ１０３のニードルを２点で支持しやすく、ニードルの位置決めが容易となっている。また、ニードルの直径と概ね同じサイズとなるようにＶ溝を形成することにより、ニードル先端が磁石７ｊとＶ溝によって形成される孔の縁に嵌まりやすくなる。これらの効果により、塗布位置の再現性を向上できる。塗布された接着剤７ｋは毛細管現象によって浅いＶ溝を形成した接着面の中心側へ引き込まれ、接着剤７ｋを塗布した孔の入口にはほとんど残らないようになる。これにより、磁石７ｊと磁性体７ｉの接触面の外縁を伝っていく接着剤７ｋを防止できる。また、中心側へ引き込まれた接着剤７ｋは、磁石７ｊと磁性体７ｉの隙間に内部から拡がるように浸透するので、ハンドリング時に触れる場所には接着剤７ｋが露出しなくなる。指サックやピンセットを介する未硬化の接着剤７ｋの転写汚染が防止できるので、不良低減につながる。
【００３６】
このように、本実施例の特徴によって、歩留まりの高い光ピックアップを提供することができる。
【実施例２】
【００３７】
本実施例では、接着剤の転写を防止することができる光ピックアップの変形例を説明する。
【００３８】
図７は本実施例の磁性体の形状の変形例である。
【００３９】
磁性体７ｉの形状以外の構成、動作は実施例１と同様である。
【００４０】
磁石７ｊと磁性体７ｉの前記Ｖ溝によって形成される孔に接着剤７ｋが塗布されると、接着剤７ｋは毛細管現象によって中央側へ引き込まれるが、Ｖ溝の隅部に接着剤７ｋが残留する場合がある。このように残留した接着剤は、空気に触れるために硬化が進みづらいため未硬化の接着剤７ｋとして残ってしまう。そこで、本実施例の磁性体７ｉは、Ｖ溝の隅部に丸み面取りを施す。このようにすることで、接着剤７ｋは隅部を形成していた壁の間に挟まれなくなるため、残留しなくなる。
【００４１】
本実施例のように、磁性体７ｉの溝内に残留する接着剤７ｋを防止することにより、不良低減に貢献できるので、歩留まりの高い光ピックアップを提供することができる。
【実施例３】
【００４２】
本実施例では、接着剤の転写を防止することができる光ピックアップの変形例を説明する。
【００４３】
図８は本実施例の磁性体の形状の変形例である。
【００４４】
磁性体７ｉの形状以外の構成、動作は実施例１と同様である。
【００４５】
磁性体７ｉに溝を２段で構成した形状は、２つの段のつなぎ目に段差ができるため、この段差部に接着剤が残留する場合がある。そこで、本実施例では、溝にテーパーを設ける。テーパー溝は、磁石７ｊを固定する接着面の中心側の溝を浅く、外側の溝を深くした段差のない形状である。このようにすることにより、段差部に残留する接着剤を防止できる。また、接着剤７ｋを毛細管現象で引き込みやすくなる効果もある。本実施例の磁性体７ｉの形状は、溝部に残留する未硬化の接着剤７ｋの量をさらに減らすことができる。
【００４６】
本実施例のように、磁性体７ｉの溝内に残留する接着剤７ｋを防止することにより、不良低減に貢献できるので、歩留まりの高い光ピックアップを提供することができる。
【００４７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
【符号の説明】
【００４８】
１  光ピックアップ
７  対物レンズアクチュエータ
７ａ  対物レンズ
７ｉ  磁性体
７ｊ  磁石
７ｋ  接着剤
９１  磁性体固定工程
９２  磁石装填工程
９３  接着剤塗布工程
９４  放置工程
１０３  ディスペンサ
【図１】
2013077357.tif 000003
【図２】
2013077357.tif 000004
【図３】
2013077357.tif 000005
【図４】
2013077357.tif 000006
【図５】
2013077357.tif 000007
【図６】
2013077357.tif 000008
【図７】
2013077357.tif 000009
【図８】
2013077357.tif 000010